(57)【要約】      （修正有）【課題】組立作業工程における密閉工程数を削減し、密閉作業の不具合の発生を防止できる遊戯機用前面板を提供する。【解決手段】遊戯盤の前方に配置される遊戯機用前面板１０であって、前記遊戯盤側に配置される内側透明板１１ａと、遊戯者側に配置される外側透明板１１ｂと、外側透明板１１ｂと内側透明板１１ａとの外周部を固定し、少なくとも一部外縁方向に突出した拡張部１２ｄを有する枠体１２と、内外各透明板１１ａ、１１ｂと枠体１２によって囲まれる空間と、拡張部１２ｄに収容される吸湿部材１５と、吸湿部材１５を拡張部１２ｄに収容保持し、枠体１２の拡張部１２ｄが設けられた枠体内周部と着脱自在な係合部を有する蓋部材１６と、を備える。【選択図】図２
2012157631.tif 000002
【特許請求の範囲】
【請求項１】
遊戯盤の前方に配置される遊戯機用前面板であって、
前記遊戯盤側に配置される内側透明板と、
遊戯者側に配置される外側透明板と、
該外側透明板と前記内側透明板との外周部を固定し、少なくとも一部外縁方向に突出した拡張部を有する枠体と、
前記内外各透明板と前記枠体によって囲まれる空間と、
前記拡張部に収容される吸湿部材と、
前記吸湿部材を前記拡張部に収容保持し、前記枠体の拡張部が設けられた枠体内周部と着脱自在な係合部を有する蓋部材と、
を備えることを特徴とする遊戯機用前面板。
【請求項２】
前記内側透明板と、前記外側透明板が実質的に同一な略円形状であることを特徴とする請求項１に記載の遊戯機用前面板。
【請求項３】
前記請求項１又は請求項２に記載の遊戯機用前面板の製造方法において、前記内外各透明板と前記枠体を圧着することによって、前記拡張部の封止と前記空間の封止を同時に行うようにしたことを特徴とする遊戯機用前面板の製造方法。
【発明の詳細な説明】
【技術分野】
【０００１】
本発明は、密閉作業の不具合の発生を防止できるパチンコ機等の遊戯機用前面板に関するものである。
【背景技術】
【０００２】
パチンコ機等の弾球遊戯機において遊戯盤を透視するものであって、遊戯盤面側に対応する内側透明板と、該内側透明板から所定間隔を隔てて配置され前面に露出される外側透明板からなる二重の複層構造をなす遊戯機用前面板が知られている。
【０００３】
遊戯機用前面板として、各透明板の外周部を樹脂などの枠体に固定してそれらを一体化し、枠体と各透明板によって囲まれた密閉空間を形成させたものが一般的である。この密閉空間の空気を乾燥させ、各透明体の板面の結露を防止するためにゼオライトやシリカゲルなどの吸湿剤が枠体周辺域の所定位置に収容された遊戯機用前面板が開示されている。
【０００４】
例えば、特許文献１および特許文献２には、枠体の外周側に吸湿剤を収納する収納室を設け、この収納室の開口部を蓋部材によって密閉し吸湿剤を封入する遊戯機用前面板が開示されている。上記文献では、枠体の外周部に設けられた収納室と各透明板間に形成される密閉空間は、収納室の内周側に設けられた通気孔を介して連通されている。
【０００５】
また、特許文献３には、枠体と各透明板によって囲まれた空間内において、吸湿手段と前記吸湿手段を位置決めするための位置決め部を枠体の内周側に設け、枠体に沿って各透明板を接着し、枠体と各透明板によって囲まれた空間を密閉することを特徴とした遊戯機用前面板（透明組立体）が開示されている。
【先行技術文献】
【特許文献】
【０００６】
【特許文献１】特開平７−２４１２０号公報
【特許文献２】特開平９−７１８号公報
【特許文献３】特開２００４−３２１７１３号公報
【発明の概要】
【発明が解決しようとする課題】
【０００７】
特許文献１および特許文献２に記載の遊戯機用前面板では、組立作業工程において、枠体の内外両側に各透明板を接着し密閉する工程に加え、吸湿剤を収納する収納室を蓋部材にて密閉する工程が必要となる。密閉箇所はできるだけ作業精度を高める必要があり、密閉箇所の増加にともない作業工程に負担が掛かり、組立作業効率が低下するという問題点があった。
【０００８】
特許文献３に記載の遊戯機用前面板では、枠体の形状に沿った内外各透明板を使用する必要があり、外周部に拡張部を有するような複雑な形状の枠体を使用する場合、その枠体の形状に応じて、透明板の形状が複雑になり、特に複雑な形状の透明板の角部において、密閉作業の不具合が生じやすいという問題点があった。また、取り扱い等の管理上の観点から、内外各透明板の形状は略円形などのできるだけシンプルな形状のものが望ましい。
【０００９】
本発明は、上記の問題点に鑑みてなされたものであり、組立作業工程における密閉工程数を削減し、密閉作業の不具合の発生を防止できる遊戯機用前面板を提供することを目的とする。
【課題を解決するための手段】
【００１０】
すなわち、本発明は、遊戯盤の前方に配置される遊戯機用前面板であって、前記遊戯盤側に配置される内側透明板と、遊戯者側に配置される外側透明板と、該外側透明板と前記内側透明板との外周部を固定し、少なくとも一部外縁方向に突出した拡張部を有する枠体と、前記内外各透明板と前記枠体によって囲まれる空間と、前記拡張部に収容される吸湿部材と、前記吸湿部材を前記拡張部に収容保持し、前記枠体の拡張部が設けられた枠体内周部と着脱自在な係合部を有する蓋部材と、を備えることを特徴とする遊戯機用前面板である。
【００１１】
また、本発明は、前記内側透明板と、前記外側透明板が実質的に同一な略円形状であることを特徴とする上述の遊戯機用前面板である。
【００１２】
また、本発明は、上述の遊戯機用前面板の製造方法において、前記内外各透明板と前記枠体を圧着することによって、前記拡張部の封止と前記空間の封止を同時に行うようにしたことを特徴とする遊戯機用前面板の製造方法。
【発明の効果】
【００１３】
本発明の遊戯機用前面板によれば、組立作業工程における密閉工程数を削減し、さらに、密閉作業の不具合の発生を防止できる遊戯機用前面板を提供することが可能となる。
【図面の簡単な説明】
【００１４】
【図１】遊技機本体の概略図である。
【図２】本発明に係る遊戯機用前面板の分解斜視図である。
【図３】本発明に係る遊戯機用前面板の断面図Ａ−ＡおよびＢ−Ｂである。
【図４】本発明に係る遊戯機用前面板の拡張部の近傍拡大図である。
【発明を実施するための形態】
【００１５】
本発明の遊戯機前面板１０の実施形態例を、図面を用いて説明する。図１に例示したように、遊戯機前面板１０は、パチンコ機等の遊技機１本体の扉枠３に取り付け、取外し使用されるものである。
【００１６】
遊戯機用前面板１０は、図２に示すように、遊戯盤２側に配置される内側透明板１１ａと、遊戯者側に配置される外側透明板１１ｂと、を所定間隔隔てて配置し、内外各透明板１１ａ、１１ｂの外周部を固定する枠体１２と、を備える。さらに、図３および図４に示すように、遊戯機用前面板１０には、枠体１２と内外各透明板１１ａ、１１ｂとによって囲まれる密閉空間１４が形成されている。
【００１７】
また、図２に示すように、枠体１２は、略円環状であり、枠体１２の外周側、少なくとも一部において、枠体１２の外縁方向に拡張された拡張部１２ｄが形成されている。この拡張部１２ｄには、内外各透明板１１ａ、１１ｂと枠体１２によって閉鎖される密閉空間１４において、内外各透明板１１ａ、１１ｂの内側表面に結露が生じないように、ゼオライトやシリカゲル等の吸湿部材１５が収容される。
【００１８】
さらに、この拡張部１２ｄを除いて、枠体１２の内周側中央付近は、断面略凸状部１２ａが周設される段付形状であり、断面略凸状部１２ａの両側面１２ｂ、１２ｂは互いに略平行となっている。この両側面１２ｂ、１２ｂに接着剤を塗布し接着層１３を形成させる。この接着層１３を介することによって、内外各透明体１１ａ、１１ｂと枠体１２が一体化される。
【００１９】
図４に示すように、枠体１２の拡張部１２ｄの内周側には、開口部１２ｅが設けられており、さらに、この開口部１２ｅの側面には、それぞれ凸部１２ｃが形成されており、拡張部１２ｄに収容される吸湿部材１５を収容保持するための蓋部材１６が、開口部１２ｅに嵌め込まれる。
【００２０】
具体的には、蓋部材１６の側面部には、凹部１６ａが形成されており、一方、枠体１２の拡張部１２ａの内周側に位置する開口部１２ｅの側面部には、凹部１６ａとの係合を可能にした凸部１２ｃが形成されている。この着脱自在で係合可能な凹部１６ａと凸部１２ｃによって、蓋部材１６を枠体１２の拡張部１２ａに容易に嵌込み取付けることができる。また、蓋部材１６には吸着剤１５が収容される拡張部１２ａと密閉空間１４とを連通させるための複数の通気孔１６ｂが設けられている。
【００２１】
なお、上記説明では枠体１２の内周側に位置する開口部１２ｅの側面部に凸部１２ｃを形成し、一方、蓋部材１６の側面部には、凹部１６ａを形成し、枠体１２と蓋部材１６を係合自在とする構成としたが、逆に、枠体１２に凹部を、蓋部材１６に凸部を設けるようにしてもよい。また、各凹凸部を形成する穴の形状、大きさは特に制限されず適宜設計されるべきものである。
【００２２】
また、枠体１２の外周部には、適宜数箇所、対称関係となる位置に取付部１２ｆが設けられており、各取付部１２ｆには取付孔が形成されている。図１に示すように、この取付孔に蝶ネジ等の締結具（図示せず）を挿通し遊戯機１本体の扉枠３に取り付けられる。
【００２３】
枠体１２の材質は、軽量性や取扱性の観点からスチレン系樹脂、ポリエステル系樹脂、アクリル系樹脂を採用するとよい。
【００２４】
接着層１３を形成する接着剤としては、シリコーン系、ポリサルファイド系、ブチルゴム系などのゴム系接着剤を使用することができ弾力性があり耐候性、耐久性に優れるものを用いるとよい。
【００２５】
内外各透明板１１ａ、１１ｂには、強化ガラス板、半強化ガラス板、フロートガラス板等のガラス板、ポリカーボネート、アクリル、ポリエステル等の透明樹脂板、あるいは遮音中間膜等をガラス板で挟み込み接着した合わせガラス板を用いることができる。なお、騒音低減効果を向上させるには内側透明板１１ａに合わせガラス板を用いるとよい。
【００２６】
また、本発明における遊戯機用前面板１０に用いる内外各透明板１１ａ、１１ｂの形状は共に実質的に同一な形状を用いることが好ましく、特に、内外各透明板１１ａ、１１ｂともに、略円形状にすることが好ましい。その理由としては、両者の形状を略円形の実質的に同一な形状にすることによって、少なくとも一部に外部方向に拡張した部分を有する複雑な形状の透明板を用いるより、密閉作業に不具合が少なく、取り扱いの管理が行いやすいためである。
【００２７】
次に、本発明に係る遊戯機用前面板１０の製造方法について、内外各透明板１１ａ、１１ｂと枠体１２の組立手順を中心に説明する。なお、本発明では、内側透明板１１ａと外側透明板１１ｂを組み付ける順番については特に制限されないが、ここでは、便宜上のため内側透明板１１ａ、外側透明板１１ｂの順に組み込む手順について説明する。
【００２８】
まず、枠体１２を作業台に載置した状態で、枠体１２の断面略凸状部１２ａの側面１２ｂに接着剤を塗布し接着層１３を形成させる。この接着層１３を介して内側透明板１１ａを貼着させる。さらに、内側透明板１１ａを貼着した枠体１２の内側透明板１１ａを下面にして作業台に載置する。
【００２９】
次いで、内側透明板１１ａを貼着した枠体１２の拡張部１２ｄに吸湿部材１５を収容し、拡張部１２ｄの内周側に位置する開口部１２ｅの側面部に設けられた凸部１２ｃと蓋部材１６の側面部に設けられた凹部１６ａとを係合させることによって、吸湿部材１５を拡張部１２ｄ内に収容保持する。
【００３０】
さらに、内側透明板１１ａと同様に、外側透明板１１ｂを、接着層１３を介して枠体１２に貼着させることによって、内側透明板１１ａと、外側透明板１１ｂ、枠体１２によって囲まれる空間１４を形成し、遊戯機用前面板１０が組み立てられる。
【００３１】
上述のような組み立て工程を経ることによって、拡張部１２ｄ内の封止と、枠体１２と内外各透明板１１ａ、１１ｂとによって囲まれる密閉空間１４との封止を簡便な操作で同時に行うことが可能となり、密閉作業の負担を大幅に低減できる。
【産業上の利用可能性】
【００３２】
本発明は、パチンコ機等の遊戯機用前面板として利用でき、遊戯機用前面板の組立工程において、密閉作業の不具合の発生を防止することができる。
【符号の説明】
【００３３】
１          遊戯機
２          遊戯盤
３          扉枠          
１０        遊戯機前面板
１１ａ      内側透明板
１１ｂ      外側透明板
１２        枠体
１２ａ      断面略凸状部
１２ｂ      断面略凸状部側面
１２ｃ      凸部
１２ｄ      拡張部
１２ｅ      枠体開口部
１２ｆ      取付部
１３        接着層
１４        密閉空間
１５        吸湿剤
１６        蓋部材
１６ａ      凹部
１６ｂ      通気孔
【図１】
2012157631.tif 000003
【図２】
2012157631.tif 000004
【図３】
2012157631.tif 000005
【図４】
2012157631.tif 000006